(57)【要約】【課題】タッチパネルを用いた音量調整の操作性を向上した音声出力装置、及び、音量調整方法を提供する。【解決手段】指をタッチパネル１１でスライドさせるタッチスライド操作で操作対象を操作する操作装置１であって、タッチパネル１１の第１方向Ｄ１へのタッチスライド操作と、第１方向Ｄ１とは異なる第２方向Ｄ２へのタッチスライド操作との組み合わせで操作対象を操作する操作量を設定することを特徴とする。【選択図】図４
2013008278.tif 000002
【特許請求の範囲】
【請求項１】
指をタッチパネルでスライドさせるタッチスライド操作で操作対象を操作する操作装置であって、
前記タッチパネルの第１方向への前記タッチスライド操作と、前記第１方向とは異なる第２方向へのタッチスライド操作との組み合わせで前記操作対象を操作する操作量を設定することを特徴とする操作装置。
【請求項２】
前記第１方向への前記タッチスライド操作時の指の移動量と、前記第２方向への前記タッチスライド操作時の指の移動量との組み合わせに基づいて、前記操作対象を操作する操作量を設定することを特徴とする請求項１に記載の操作装置。
【請求項３】
前記第１方向、或いは、前記第２方向へのタッチスライド操作のうち、一方向への操作で、他方向への操作によって設定される操作量の変化量を変化させることを特徴とする請求項１又は２に記載の操作装置。
【請求項４】
前記第１方向と、前記第２方向とは、互いに略直交する方向であることを特徴とする請求項１から３のいずれかに記載の操作装置。
【請求項５】
前記第１方向、前記第２方向は、前記タッチパネルの縦方向、或いは、横方向のどちらか一方であることを特徴とする請求項１から４のいずれかに記載の操作装置。
【請求項６】
前記タッチパネルを複数の領域に区分けし、前記操作対象の設定値を表示する表示領域と、前記操作量を設定する操作領域とを別領域としたことを特徴とする請求項１から５のいずれかに記載の操作装置。
【請求項７】
前記操作量の設定を開始する操作開始ボタンを前記タッチパネルの隅に設けたことを特徴とする請求項１から６のいずれかに記載の操作装置。
【請求項８】
指をタッチパネルでスライドさせるタッチスライド操作で前記操作対象を操作する操作量を設定し、前記タッチパネルの第１方向への前記タッチスライド操作で、前記第１方向とは異なる第２方向へのタッチスライド操作で設定される前記操作量の変化量を変化させることを特徴とする操作方法。
【発明の詳細な説明】
【技術分野】
【０００１】
本発明は、タッチパネルへのタッチ操作で操作対象を操作する操作装置、及び、操作方法に関する。
【背景技術】
【０００２】
従来、タッチパネルへのタッチ操作で音量の調整、或いは、楽曲リストのスクロールをすることができる音声出力装置等の操作装置が知られている（例えば、特許文献１参照）。この種の操作装置では、画面に表示された操作量設定スライドバーをタッチ操作でスライドすることで、音量を操作する操作量、或いは、楽曲リストをスクロール操作する操作量が設定されていた。
【先行技術文献】
【特許文献】
【０００３】
【特許文献１】特開２０１０−３６６２０号公報
【発明の概要】
【発明が解決しようとする課題】
【０００４】
しかしながら、タッチ操作する指を不意に画面の端から端まで動かした場合、操作量がいきなり最大、或いは、最少に設定されてしまい、例えば、音量を操作する操作量を設定する際には、突然大音量で音声が出力される、或いは、突然音声が全く聞こえない状態になってしまう、という問題があった。そのため、画面を注視して操作対象を操作する操作量の設定を行う必要があり、車両運転中、或いは、歩行中等で画面を注視しての操作が困難な状況では、操作性が悪かった。
本発明は、上述した従来の技術が有する課題を解消し、タッチパネルを用いて操作対象を操作する際の操作性を向上した操作装置、及び、操作方法を提供することを目的とする。
【課題を解決するための手段】
【０００５】
上記目的を達成するために、本発明は、指をタッチパネルでスライドさせるタッチスライド操作で操作対象を操作する操作装置であって、前記タッチパネルの第１方向への前記タッチスライド操作と、前記第１方向とは異なる第２方向へのタッチスライド操作との組み合わせで前記操作対象を操作する操作量を設定することを特徴とする。
【０００６】
この構成において、前記第１方向への前記タッチスライド操作時の指の移動量と、前記第２方向への前記タッチスライド操作時の指の移動量との組み合わせに基づいて、前記操作対象を操作する操作量を設定する構成としても良い。また、前記第１方向、或いは、前記第２方向へのタッチスライド操作のうち、一方向への操作で、他方向への操作によって設定される操作量の変化量を変化させる構成としても良い。また、前記第１方向と、前記第２方向とは、互いに略直交する方向である構成としても良い。また、前記第１方向、前記第２方向は、前記タッチパネルの縦方向、或いは、横方向のどちらか一方である構成としても良い。また、前記タッチパネルを複数の領域に区分けし、前記操作量を表示する表示領域と、前記操作量を設定する操作領域とを別領域とした構成としても良い。また、前記操作量の設定を開始する操作開始ボタンを前記タッチパネルの隅に設けた成としても良い。
【０００７】
また、上記目的を達成するために、本発明は、指をタッチパネルでスライドさせるタッチスライド操作で前記操作対象を操作する操作量を設定し、前記タッチパネルの第１方向への前記タッチスライド操作で、前記第１方向とは異なる第２方向へのタッチスライド操作で設定される前記操作量の変化量を変化させることを特徴とする。
【発明の効果】
【０００８】
本発明によれば、指をタッチパネルでスライドさせるタッチスライド操作で操作対象を操作する操作装置であって、前記タッチパネルの第１方向への前記タッチスライド操作と、前記第１方向とは異なる第２方向へのタッチスライド操作との組み合わせで前記操作対象を操作する操作量を設定するため、手探り操作でタッチパネルの一方の方向へ端から端まで指を動かしても、設定される操作量がいきなり最大、或いは、最少になってしまうことがなく、操作装置の操作対象を操作する操作性が向上する。
【図面の簡単な説明】
【０００９】
【図１】本発明の実施形態に係る操作装置の外観構成を示す図である。
【図２】操作装置の概略構成を示すブロック図である。
【図３】表示パネルの表示例とタッチパネルの操作領域を示す図である。
【図４】タッチスライド操作領域と音量レベルの関係を示す図である。
【図５】操作装置の動作を示すフローチャートである。
【図６】楽曲選択画面の１例を示す図である。
【発明を実施するための形態】
【００１０】
以下、図面を参照して本発明の実施形態について説明する。
＜第１実施形態＞
図１は、本発明を適用した実施形態に係る操作装置（音声出力装置）１の外観構成を示す図である。操作装置１は、図１に示すように、車両１００に搭載される、車載オーディオ装置、又は、ナビゲーション装置等の車載機器である。操作装置１は、複数の音源を備え、任意の音源から音声を出力可能な音声出力装置であり、音源、表示される楽曲リスト、音量等を操作対象とし、これらの操作対象を操作する操作量を設定可能に構成される。
操作装置１は、車両１００の前部座席に搭乗するユーザーが操作しやすいように、ダッシュボード１０１の略中央で、運転席と助手席の間に配設される。
本実施形態においては、操作装置１は、車両１００に搭載される車載オーディオ装置、又は、ナビゲーション装置等の電子機器の例を用いて説明するが、本発明は、これに限らず、タッチパネルへのタッチ操作で操作対象を操作する操作量を設定することができる装置に広く適用することができ、操作装置１は、携帯電話、スマートフォン、パーソナルコンピューター等である構成であっても良い。
【００１１】
操作装置１は、ダッシュボード１０１から車室内に露出し、略矩形に形成されたタッチ操作可能なタッチパネル１１を備える。タッチパネル１１は、表示パネル２１の上に重ねて配設され、表示パネル２１は、枠体としてのフェイスパネル２に嵌めこまれている。また、ダッシュボード１０１の内部には、不図時の装置本体が備えられている。
【００１２】
図２は、操作装置１の概略構成を示すブロック図である。操作装置１は、入力部１０と、表示部２０と、制御部３０と、音声出力部４０と、記憶部５０と、無線通信部６０と、ディスク再生部７０と、外部機器接続部８０と、を備える。
入力部１０は、タッチパネル１１を備え、ユーザーは、タッチパネル１１へのタッチ操作で操作装置１の操作対象の操作を行うことができる。タッチパネル１１は、タッチパネル１１表面の複数の点に同時に触れて入力操作を行うことができるマルチタッチスクリーンであり、ユーザーは、タッチパネル１１へのタッチ操作時の指をタッチパネル１１の表面でスライドさせるタッチスライド操作による入力を行うことができる。タッチパネル１１のタッチ位置を検出する方式としては、抵抗膜方式、静電容量方式、電磁誘導方式、超音波表面弾性波方式等の様々な方式が一般的に知られている。本実施形態に係るタッチパネル１１において、上記のタッチ位置を検出する方式のうち、どの方式を用いる構成であっても良い。入力部１０は、タッチパネル１１の他に、図示は省略したが、複数の操作端子を備える構成としても良い。この操作端子を用いて行う入力操作としては、例えば、操作装置１の電源オン／オフ等がある。
【００１３】
表示部２０は、表示パネル２１を備える。表示パネル２１は、液晶表示パネル、ＰＤＰ（プラズマディスプレイパネル）、或いは、ＯＬＥＤ（Ｏｒｇａｎｉｃ  Ｌｉｇｈｔ−Ｅｍｉｔｔｉｎｇ  Ｄｉｏｄｅ）やＯＥＬ（Ｏｒｇａｎｉｃ  Ｅｌｅｃｔｒｏ−Ｌｕｍｉｎｅｓｃｅｎｃｅ）等と呼ばれる有機ＥＬ表示パネルから構成される。表示パネル２１には、制御部３０の制御の下、画像や映像が表示される。表示パネル２１の上には、タッチパネル１１が、重ねて配設され、表示パネル２１に表示された各種操作ボタンに対応する位置を指先などでタッチ操作することで、操作装置１への各種指示を入力することができる。
【００１４】
制御部３０は、操作装置１の各部を中枢的に制御するものであり、演算実行部としてのＣＰＵ（Ｃｅｎｔｒａｌ  Ｐｒｏｃｅｓｓｉｎｇ  Ｕｎｉｔ）や、このＣＰＵに実行される基本制御プログラムをコンピューターに読み取り可能な形態で不揮発的に記憶するＲＯＭ（Ｒｅａｄ  Ｏｎｌｙ  Ｍｅｍｏｒｙ）、ＣＰＵに実行されるプログラムやこのプログラムに係るデータ等を一時的に記憶するＲＡＭ（Ｒａｎｄａｍ  Ａｃｃｅｓｓ  Ｍｅｍｏｒｙ）、その他の周辺回路等を備えている。
【００１５】
制御部３０は、画像処理部３１と、操作検出部３２と、音量調整部３３と、スクロール量調整部３４と、を備える。画像処理部３１は、表示パネル２１に表示する画像信号を生成して、表示部２０に出力する。表示パネル２１に表示する画像は、ユーザーによって、タッチパネル１１を介して入力された指示に応じた画像であり、ユーザーによるタッチパネル１２へのタッチ操作は、操作検出部３２で検出される。操作検出部３２の検出結果は、画像処理部３１、音量調整部３３、或いは、スクロール量調整部３４に入力される。音量調整部３３は、操作検出部３２によって検出されたユーザーのタッチパネル１１へ入力応じて、操作装置１から出力する音量を調整する。音量調整部３３は、出力する音量を音量レベル０から音量レベル１５までの１６段階で制御し、音量レベル０が最少音量（ミュート）、音量レベル１５が最大音量となる。スクロール量調整部３４は、操作検出部３２によって検出されたユーザーの入力に基づいて、操作装置１が再生可能な楽曲の項目を、どれだけ離れた項目に進める、或いは、戻らせるかを調整し、制御部３０の制御の下、画像処理部３１の働きにより、表示パネル２１に表示される楽曲の項目が更新される。
【００１６】
音声出力部４０は、車両１００に搭載されるスピーカー４１に接続されている。音声出力部４０は、図示は省略したが、ＤＳＰ（デジタルシグナルプロセッサー）やアンプユニットを備える。音声出力部４０は、制御部３０の制御の下、入力される音声信号にデジタル信号処理、及び、増幅処理を施し、制御部３０の音量調整部３３から入力される制御信号に応じて音量のレベルを調整し、音声をスピーカー４１から出力する。
音声出力部４０を介して出力される音声は、図２に示したように、記憶部５０、無線通信部６０、ディスク再生部７０、或いは、外部機器接続部８０を音源とする。これらの音源から入力される音声データは、所定のデータ形式を有する。
【００１７】
記憶部５０は、操作装置１に内蔵されたフラッシュメモリー、或いは、操作装置１に挿抜可能なＳＤ（Ｓｅｃｕｒｅ  Ｄｉｇｉｔａｌ）メモリーカード等のリムーバブルメディアである。記憶部５０には、所定のデータ形式を有する音声（楽曲）データを書き換え自在に記憶している。
無線通信部６０は、不図示の無線通信アンテナ６１を有し、制御部３０の制御の下、ラジオ電波等の放送電波を受信する。無線通信部６は、更に、外部機器（例えば、携帯電話や携帯音響機器８１）とＢｌｕｅｔｏｏｔｈ（登録商標）或いはＦＭ波を用いて近距離無線通信を行うことができる構成としても良い。無線通信部６は、また、Ｗｉ−Ｆｉ（登録商標）を利用して外部機器（ＰＣ等のデータサーバー）との間でデータ通信を行うことができる構成としても良い。
【００１８】
ディスク再生部７０は、制御部３０の制御の下、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等のディスク状記録媒体の再生を行う。
外部機器接続部８０には、携帯音響機器８１が着脱可能に接続される。携帯音響機器８１は、音声データを書き換え自在に記憶し、携帯して使用可能な情報機器であり、携帯電話、或いは、スマートフォン等である構成であっても良い。携帯音響機器８１は、また、無線通信部６０を介して、操作装置１に無線接続可能な構成であっても良い。
【００１９】
入力部１０のタッチパネル１１へのタッチ操作で、音源を選択する操作をユーザーが行うと、制御部３０の制御の下、表示パネル２１には、図３に示すように選択中の音源に応じた画面が表示される。図３には、ディスク再生部７０に装着されたＣＤの再生が行われている場合に表示パネル２１に表示される画面の１例が示されている。
表示パネル２１のメイン表示エリア２２には、選択中の音源、及び、選曲中の音声データ等に関する情報が表示される。また、表示パネル２１には、表示パネル２１の下辺に沿って、音量表示エリア２３が設けられる。音量表示エリア２３には、操作装置１が出力する音量に応じて、レベル０からレベル１５までの範囲のどこに音量が設定されているかを示す音量バー２４が表示される。
【００２０】
タッチパネル１１のタッチ操作領域は、表示パネル２１に表示された画面に対応づけて４つの操作領域Ｔ１〜Ｔ４に区分けされている。
設定操作領域Ｔ１は、表示パネル２１のメイン表示エリア２２に重ねて設けられる。設定操作領域Ｔ１は、タッチパネル１１の操作領域全体の大半の面積を占める。この設定操作領域Ｔ１では、ユーザーは、タッチパネル１１にタッチした指をタスライドさせるタッチスライド操作を行うことができ、このタッチスライド操作で、操作装置１から出力される音量を設定することができる。
【００２１】
タッチパネル１１の下端両隅には、開始操作領域Ｔ２及び開始操作領域Ｔ４が設けられる。開始操作領域Ｔ２、及び、開始操作領域Ｔ４は、音量表示エリア２３の領域外に設けられている。開始操作領域Ｔ２は、音量表示エリア２３の左側、つまり、音量バー２４の最少音量レベルのマイナス側に配設される。開始操作領域Ｔ４は、音量表示エリア２３の右側、つまり、音量バー２４の最大音量レベルのプラス側に配設される。表示パネル２１には、開始操作領域Ｔ２及び開始操作領域Ｔ４が重ねて配置される位置に、音量の設定を開始することを示すアイコンが表示される構成であっても良い。また、タッチパネル１１には、音量表示エリア２３に重なるように操作領域Ｔ３が設けられる。
【００２２】
音量を設定する操作に用いる設定操作領域Ｔ１は、音量表示エリア２３の領域外に設けられる。この構成によれば、音量を設定する操作を行う指で、音量表示エリア２３に表示された音量バー２４が隠れてしまうことがない。そのため、タッチパネル１１を目視しながら操作する場合には、音量表示エリア２３に表示される音量バー２４の表示を目で確認しながら設定操作領域Ｔ１へのタッチスライド操作で音量を調整することができるため、意図した音量に設定する操作を行うことができ、操作性が向上する。
【００２３】
音量の設定は、それぞれ調整可能な、音の重み（変化量）αと、調整量βと、の積から求められる操作量に基づいて行われる。音の重みαは、調整量βの１段階分の調整で変化させる音量の変化量を示し、最小値が０、最大値が１となるような１６段階に設定可能である。一方、調整量βは、最小値が０、最大値が１５となるような１６段階に設定可能である。
例えば、音の重みαが１５／１５の場合、調整量βの１段階分の調整で変化する音量は１レベル分である。また、音の重みαが５／１５の場合、調整量βの１段階分の調整で変化する音量は１／３レベル分である。このようにして、音量の操作量は、音の重みαと、調整量βと、の積から求められる。また、操作量には、音の重みαと、調整量βと、の積の整数の値が用いられる。
【００２４】
音量の設定は、ユーザーが開始操作領域Ｔ２、或いは、開始操作領域Ｔ４へのタッチ操作を行った後に可能となる。音量の設定は、音の重みα、及び、調整量βをそれぞれ設定する操作に基づいて行われ、音の重みα、及び、調整量βの設定は、設定操作領域Ｔ１へのタッチスライド操作で行うことができる。ユーザーが、開始操作領域Ｔ２、或いは、開始操作領域Ｔ４へのタッチ操作を行わずに、初めから設定操作領域Ｔ１をタッチした場合には、音量は設定開始前の音量のまま保持される。
【００２５】
開始操作領域Ｔ２、及び、開始操作領域Ｔ４は、画面の下端両隅に設けられているため、ユーザーは、画面を注視することなく、手探りで、開始操作領域Ｔ２、或いは、開始操作領域Ｔ４の位置を確認してタッチ操作を行い、音量の設定を開始することができる。また、開始操作領域Ｔ２、或いは、開始操作領域Ｔ４は、それぞれ画面の左隅、或いは、右隅に設けられているため、運転席、或いは、助手席のどちらに搭乗しているユーザーにも操作がしやすいように構成されている。
【００２６】
設定操作領域Ｔ１は、図４に示すように、設定可能な音量の段階に対応させて、タッチパネル１１の縦方向、及び、横方向に縦横１５の格子状に分割され、それぞれ０から１５までの１６段階（ステップ）の設定が可能に構成されている。タッチパネル１１の縦方向、或いは、横方向のどちらか一方を第１方向Ｄ１、他方を第２方向Ｄ２とし、第１方向Ｄ１へのタッチスライド操作で、音の重みαを設定し、第２方向Ｄ２へのタッチスライド操作で調整量βを設定するように構成される。タッチパネル１１の縦方向、或いは、横方向のどちらを第１方向Ｄ１、或いは第２方向Ｄ２とするかは、予めユーザーが任意に設定可能な構成であっても良い。或いは、開始操作領域Ｔ２、或いは、開始操作領域Ｔ４へのタッチ操作に続いて先にタッチスライド操作が行われた方向を第１方向Ｄ１とする構成であっても良い。第１方向Ｄ１と、第２方向Ｄ２とは、互いに異なる、タッチパネル１１の縦方向、或いは、横方向のどちらか一方向であり、互いに略直行するように構成される。
【００２７】
第１方向Ｄ１への操作では、音の重みαが設定される。音の重みαは、最小値が０／１５、最大値が１５／１５であり、タッチパネル１１の第１方向Ｄ１へのタッチスライド操作時の指の移動量に応じて１６段階で設定される。第２方向Ｄ２への操作では、調整量βが設定される。調整量βは、第２方向Ｄ２へのタッチスライド操作時の指の移動量に応じて、０から１５の１６段階、或いは、０からマイナス１５の１６段階で設定される。第２方向Ｄ２への操作では、画面の左側から右側にタッチスライド操作時の指を移動させた場合、或いは、画面の下側から上側にタッチスライド操作時の指を移動させた場合には、音量の操作量はプラスとなり、音量を上げる操作が行われる。一方、第２方向Ｄ２への操作で、画面の右側から左側にタッチスライド操作時の指を移動させた場合、或いは、画面の上側から下側にタッチスライド操作時の指を移動させた場合は、音量の操作量はマイナスとなり、音量を下げる操作が行われる。
【００２８】
第１方向Ｄ１、及び、第２方向Ｄ２へのタッチスライド操作は、画面の端から端までタッチスライド操作が行われた場合には最大値が設定されるように構成されている。
略矩形に形成されたタッチパネル１１に、例えば対角線に沿うように、斜め方向にタッチスライド操作を行った場合には、当該操作のタッチパネル１１に対する縦方向、或いは、横方向への絶対移動量が検出される。つまり、第１方向Ｄ１が縦方向であり、第１方向Ｄ１への操作を行う際に、ユーザーが横方向に３ステップ分、縦方向に７ステップ分、タッチパネル１１の斜め方向へ指が移動するタッチスライド操作を行った場合には、縦方向への７ステップ分の移動量のみが検出されるように構成されている。
【００２９】
ユーザーは、音量の設定を行う場合、まず、開始操作領域Ｔ２、或いは、開始操作領域Ｔ４でタッチパネル１１にタッチ操作を行う。続いて、タッチパネル１１の設定操作領域Ｔ１内の任意の位置にタッチした指を第１方向Ｄ１にスライドさせて音の重みαを設定する。例えば、第１方向Ｄ１が、タッチパネル１１の縦方向である場合、ユーザーは、開始操作領域Ｔ２、或いは、開始操作領域Ｔ４にタッチした指をそのままフェイスパネル２の縁に沿わせて上側にスライドさせることで、音の重みαを設定することができる。この構成によれば、ユーザーは、フェイスパネル２の下縁から上縁までの長さに対して、タッチスライド操作時の指の移動量を感覚的に認識することができるため、手探り操作で音量を設定する場合でも、音の重みαを任意の値に設定することができる。
【００３０】
次に、ユーザーは、タッチパネル１１の設定操作領域Ｔ１内の任意の位置にタッチした指を第２方向Ｄ２にスライドさせて調整量βを設定する。例えば、第２方向Ｄ２が、タッチパネル１１の横方向である場合、ユーザーは、フェイスパネル２の左縁から右縁までの長さに対して指の移動量を感覚的に認識することができるため、手探り操作で音量を設定する場合でも、調整量βを任意の値に設定することができる。
【００３１】
操作検出部３２は、第１方向Ｄ１へのタッチスライド操作を行った指がタッチパネル１１から離れたことを検出して、第２方向Ｄ２へのタッチスライド操作の検出を行う構成であっても良い。この構成によれば、ユーザーが手探り操作で音量の設定を行い、タッチスライド操作時の指が略矩形のタッチパネル１１に対して斜め方向に移動した場合でも、第１方向Ｄ１、及び、第２方向Ｄ２への指の移動量をそれぞれ検出して、音量設定を行うことができる。
操作検出部３２は、或いは、第１方向Ｄ１へのタッチスライド操作を行った指が、第１方向Ｄ１とは異なる方向、或いは、第１方向Ｄ１と略直行する方向へ移動したことを検出して第２方向Ｄ２へのタッチスライド操作の検出を行う構成であっても良い。この構成によれば、開始操作領域Ｔ２、或いは、開始操作領域Ｔ４にタッチした指をそのまま第１方向Ｄ１、第２方向Ｄ２に続けて一筆書きで移動させる操作を行った場合にも、第１方向Ｄ１、及び、第２方向Ｄ２への指の移動量をそれぞれ検出して、音量設定を行うことができる。
【００３２】
これらの構成によれば、タッチパネル１１へのタッチスライド操作は、タッチパネル１１の左右、或いは、上下の端をフェイスパネル２の縁に沿って行うことができるとともに、移動量を、フェイスパネル２の上下の縁間、或いは、左右の縁間の距離に対する割合で認識することができ、タッチ操作を行うためにタッチ位置を目視で確認する必要がなく、手探り操作で移動量を感覚的に認識することができる。これによって運転中で、画面を注視することができない場合であっても、容易に音量設定を行うことができる。
【００３３】
次に、図４に示した、操作Ａ、操作Ｂ、操作Ｃを例に、それぞれの操作で設定される音量について具体的に説明する。図４に示した操作では、音の重みαを設定する第１方向Ｄ１は、タッチパネル１１の縦方向、調整量βを設定する第２方向Ｄ２は、タッチパネル１１の横方向に予め設定されているものとする。
操作Ａは、ユーザーが、音量を最大音量に設定する場合の操作を示す。操作Ａでは、まず、ユーザーは、タッチパネル１１の開始操作領域Ｔ２へ、タッチ操作を行って音量設定を開始する。続いて、ユーザーは、開始操作領域Ｔ２にタッチした指を、フェイスパネル２の左縁に沿わせて、タッチパネル１１の左上端まで縦方向に１５ステップ分スライド移動させる。次に、指を、タッチパネル１１の左上端から右上端までフェイスパネル２の上縁に沿わせて、横方向に１５ステップ分、スライド移動させる。この操作Ａによって、音の重みαは１５／１５に、調整量βは１５に設定され、音量調整部３３の働きにより、音の重みαと、調整量βとの積から操作量は１５であると算出される。画面処理部３１は、音量調整部３３で算出された操作量に基づいて、音量表示エリア２３に表示された音量バー２４を最大音量であるレベル１５に調整する。また、音量調整部３３は、操作検出部３２で検出された調整量に基づいて、音声出力部４０を制御し、スピーカー４１から出力する音量を最大音量であるレベル１５に調整する。
【００３４】
操作Ｂでは、ユーザーは、タッチパネル１１の開始操作領域Ｔ２へ、タッチ操作を行って音量調整を開始する。続いて、ユーザーは、開始操作領域Ｔ２にタッチした指を、フェイスパネル２の左縁に沿わせて縦方向に８ステップ分スライド移動させる。続けて、タッチパネル１１の横方向に１５ステップ分指をスライド移動させる。音量調整部３３は、操作検出部３２で検出されたユーザーによるタッチスライド操作に基づいて、音の重みα＝８／１５と、調整量β＝１５との積から操作量は８であると算出する。画面処理部３１は、音量調整部３３で算出された操作量に基づいて、音量表示エリア２３に表示された音量バー２４を調整する。例えば、図３に示したように、音量バー２４が、音量レベルがレベル５に調整されていることを示しているときに、この操作Ｂを行った場合、操作Ｂによる音量設定後の音量バー２４は、音量がレベル５から８段階分上げられたレベル１３であることを示すように表示される。また、音量調整部３３は、算出した操作量に基づいて、音声出力部４０を制御し、スピーカー４１から出力する音量を音の重みαと調整量βの積に基づいて８段階分上げ。
【００３５】
操作Ｃでは、ユーザーは、タッチパネル１１の開始操作領域Ｔ２へ、タッチ操作を行って音量調整を開始する。続いて、ユーザーは、開始操作領域Ｔ２にタッチした指を、フェイスパネル２の左縁に沿わせて縦方向に４ステップ分スライド移動させる。続けて、タッチパネル１１の横方向に８ステップ分指をスライド移動させる。音量調整部３３は、操作検出部３２で検出されたユーザーによるタッチスライド操作に基づいて、音の重みα＝４／１５と、調整量β＝８との積から操作量は２であると算出する。画面処理部３１は、音量調整部３３で算出された操作量に基づいて、音量表示エリア２３に表示された音量バー２４を更新する。例えば、図３に示したように、音量バー２４が、音量レベルがレベル５に設定されていることを示しているときに、この操作Ｃを行った場合、操作Ｂによる音量設定後の音量バー２４は、音量がレベル５から２段階分上げられたレベル７であることを示すように表示される。また、音量調整部３３は、算出した操作量に基づいて、音声出力部４０を制御し、スピーカー４１から出力する音量を音の重みαと調整量βの積に基づいて２段階分上げる。
【００３６】
このようにして、第１方向Ｄ１である縦方向へのタッチスライド操作時の指の移動量と、第２方向Ｄ２である横方向へのタッチスライド操作時の指の移動量とで音の重みαと、調整量βと、をそれぞれ設定し、音の重みαと、調整量βとの積に基づいて操作量を算出するため、一方の方向で画面の端から端まで指を移動させても、音量が突然最大、或いは、最少になることなく、また、ユーザーは、自らの好みに応じて、例えば第１方向Ｄ１に最大まで操作し、第２方向Ｄ２のみで音量を設定する、或いは、第１方向Ｄ１の操作量を調整して、第２方向Ｄ２に最大まで操作する等、音量を設定するステップを遷移させることができ、意図した音量に設定することができる。
【００３７】
次に、操作装置１の音量設定時の動作について図５のフローチャートを用いて説明する。本実施形態では、音の重みαを設定する第１方向Ｄ１は、タッチパネル１１の縦方向、調整量βを設定する第２方向Ｄ２は、タッチパネル１１の横方向と予め設定されている場合を例に説明する。
制御部３０の操作検出部３２は、タッチパネル１１へのタッチ操作が行われたことを検出すると（ステップＳ１：Ｙｅｓ）、タッチ操作が開始操作領域Ｔ２、或いは、開始操作領域Ｔ４のいずれか一方に行われたか否かを判定する（ステップＳ２）。
タッチ操作が開始操作領域Ｔ２、或いは、開始操作領域Ｔ４のいずれか一方に行われたと判定すると（ステップＳ２：Ｙｅｓ）、制御部３０は、設定操作領域Ｔ１でのタッチスライド操作による音量設定を可能とする（ステップＳ３）。つまり、制御部３０は、操作検出部３２を制御し、設定操作領域Ｔ１での音量設定の操作量の入力を検出する。
【００３８】
操作検出部３２は、設定操作領域Ｔ１での第１方向Ｄ１である縦方向へのタッチスライド操作時の指の移動量を検出する（ステップＳ４）。制御部３０は、操作検出部３２が検出した、タッチスライド操作時の指の移動量に基づいて音の重みαを設定し、一時的に記憶する（ステップＳ５）。
次に、操作検出部３２は、設定操作領域Ｔ１での第２方向Ｄ２である横方向へのタッチスライド操作時の指の移動量を検出する（ステップＳ６）。制御部３０は、操作検出部３２が検出した、タッチスライド操作時の指の移動量に基づいて調整量βを設定し、一時的に記憶する（ステップＳ７）。
【００３９】
制御部３０は、一時的に記憶した音の重みαと、調整量βとから、音量調整部３３の働きにより操作量を算出する（ステップＳ８）。音量調整部３３は、算出した操作量に基づいて、音声出力部４０を制御し、スピーカー４１から出力される音量が、ユーザー指示に応じた音量になるように調整する（ステップＳ９）。音量調整部３３がスピーカー４１から出力される音量を調整すると同時に、画像処理部３１は、表示パネル２１に表示する音量バー２４をユーザー指示に応じた音量のレベルに調整する。
【００４０】
＜第２実施形態＞
上述した第１実施形態では、第１方向Ｄ１への操作と、第１方向Ｄ１とは異なる第２方向Ｄ２への操作と、の組み合わせで、音量を調整する構成であった。本発明は、音量の調整に限らず、例えば、操作装置１の記憶部５０に予め記憶された、或いは、操作装置１に外部機器接続部８０を介して接続される携帯音響機器８１に記憶された楽曲のスクロール量（操作量）を設定するために用いることができる。
以下、操作装置１の楽曲のスクロール量設定時の動作について説明する。なお、本実施形態において、操作装置１の構成は、図１、及び、図２で示した第１実施形態の操作装置１と同一であり、その説明を省略する。
【００４１】
図６は、表示パネル２１に表示される楽曲選択画面１５１を示す図である。入力部１０のタッチパネル１１へのタッチ操作で、記憶部５０に予め記憶された、或いは、操作装置１に外部機器接続部８０を介して接続される携帯音響機器８１に記憶された楽曲の中から再生する楽曲を選択する操作をユーザーが行うと、制御部３０の制御の下、表示パネル２１には、現在選択中の音源から再生する楽曲を選択するための楽曲選択画面１５１が表示される。楽曲選択画面１５１には、操作装置１で選択中の音源に予め記憶されている再生可能な楽曲が、記憶部５０に予め記憶された表示する楽曲データの始点となる楽曲データを表す始点情報Ｓに基づく楽曲データから順に所定数（本実施形態では５つ）の楽曲データの楽曲名が楽曲名表示領域１５４ａ〜１５４ｅにそれぞれ表示される。始点情報Ｓは、音源ごとに記憶されており、選択中の音源に対応付けられた始点情報Ｓに基づいて楽曲名表示領域１５４ａ〜１５４ｅにそれぞれ楽曲データが表示される。
【００４２】
始点情報Ｓは、１から始まる楽曲データの番号であり、操作装置１で再生可能な楽曲データには、予め１から始まる番号が順に割り当てられ、これらの番号に基づいて、制御部３０は再生する楽曲を特定する。なお、図６では、説明の便宜上、楽曲名ではなく、楽曲データの番号を記しているが、実際には、楽曲データの番号に対応付けられた楽曲名が表示される。
【００４３】
プログレスバー１５３は、複数の楽曲データのうち、現在どの楽曲データが画面に表示されているかを視覚的に表している。具体的には、プログレスバー１５３の最上部が複数の楽曲データのうち登録順で１つ目（先頭）の楽曲データに、プログレスバー１５３の最下部が複数の楽曲データのうち最後の楽曲データにそれぞれ対応している。そして、現在画面に表示されている楽曲データに相当する範囲が、周囲とは異なる形態で描画されたカーソル１５３ａによりあらわされている。また、楽曲選択画面１５１には、選択中の音源に記憶され、再生可能な楽曲が何曲あるのかを示す、楽曲数表示領域１５２が設けられる。
【００４４】
操作装置１は、ユーザーの入力部１０への操作で、始点情報Ｓを更新し、楽曲名表示領域１５４ａ〜１５４ｅにそれぞれ表示する楽曲データをスクロールさせるスクロール処理を実行する。スクロール処理は、タッチパネル１１への操作、或いは、不図示の操作端子への操作で開始される。
操作装置１は、ユーザーによってタッチパネル１１への操作を介して設定されるスクロール率α２と、スクロール調整量β２と、の積に基づいて、スクロール処理を行い、始点情報Ｓを更新し、始点情報Ｓに基づいて、楽曲名表示領域１５４ａ〜１５４ｅにそれぞれ表示される楽曲データを更新する。スクロール率α２とは、スクロール調整量β２に対して、始点情報Ｓに対応付けられた楽曲データから、選択中の音源に対応づけられた楽曲データの総数に対してどれだけ（何％）離れた楽曲データに対応づけて始点情報Ｓを更新するかの割合を示す。スクロール率α２は、タッチパネル１１の第１方向Ｄ１へのタッチスライド操作で１％から１００％の間で任意の値に設定可能である。スクロール調整量β２は、タッチパネル１１の第２方向Ｄ２へのタッチスライド操作で設定可能であり、タッチパネル１１で第２方向Ｄ２へ画面の端から端までの距離に対して、どれくらいタッチ操作時の指が移動したかに基づいて設定される。
【００４５】
例えば、図６（Ａ）に示すように、楽曲データの総数が５０００３で、スクロール率α２が１０％に設定されており、始点情報Ｓが１の場合、タッチパネル１１の第２方向Ｄ２の端から端までのタッチ操作時の指を移動させた場合、スクロール調整量β２は、１と設定され、始点情報は、５００１番目の楽曲データに対応付けられるように更新される。また、例えば、楽曲データの総数が５０００３で、スクロール率α２が１０％に設定されており、始点情報Ｓが１の場合、タッチパネル１１で第２方向Ｄ２へ画面の端から端までの距離の略半分の量をタッチ操作時の指を移動させた場合、スクロール調整量β２は、略５０％（１／２）と設定され、始点情報Ｓは、５０００３の５％、つまり、２５０１番目の楽曲データに対応付けられるように更新される。
【００４６】
次に、楽曲名表示領域１５４ａ〜１５４ｅにそれぞれ表示される楽曲データを更新する際の操作について説明する。
楽曲選択画面１５１の表示中に、ユーザーによってスクロール処理を開始する操作が行われると、操作装置１は、楽曲選択画面１５１に、スクロール率表示領域１５５を表示する。スクロール率表示領域１５５には、予め記憶部５０に記憶されている現在の設定値に基づくスクロール率α２が表示される。スクロール率α２は、楽曲選択画面１５１にスクロール率表示領域１５５が表示されている間に再設定し、記憶部５０に記憶される値を書き換えることができる。
【００４７】
スクロール率表示領域１５５が表示されている間に、図４に示した第１方向Ｄ１へのタッチスライド操作がユーザーによって行われたことが操作検出部３２で検出されると、制御部３０は操作検出部３２で検出されるユーザーの操作に基づいて、図６（Ｂ）に示すように、スクロール率表示領域１５５に表示するスクロール率α２を更新する。また、制御部３０は、ユーザー操作に基づいて、設定されるスクロール率α２を記憶部５０に記憶する。制御部３０は、例えば、操作検出部３２が、第１方向Ｄ１へのタッチスライド操作を行った指がタッチパネル１１から離れたことを検出した際に、ユーザーによるスクロール率α２の設定が終了したと検出し、記憶部５０に記憶されたスクロール率α２を更新する構成であっても良い。
【００４８】
次に、ユーザーは、タッチパネル１１の任意の位置に触れた指を第２方向Ｄ２に所定距離移動させることで、スクロール調整量β２を設定することができる。図６（Ｃ）に示すように、ユーザーが第２方向Ｄ２へのタッチスライド操作をおこなうと、制御部３０は、スクロール量調整部３４によりスクロール率α２と、スクロール調整量β２と、の積を算出し、始点情報Ｓを更新し、始点情報Ｓに基づいて、楽曲名表示領域１５４ａ〜１５４ｅにそれぞれ表示する楽曲データを切り替える。ユーザーが第２方向Ｄ２へのタッチスライド操作時の指をタッチパネル１１から離したことが操作検出部３２で検出されると、制御部１０は、スクロール処理を終了し、楽曲選択画面１５１のスクロール率表示領域１５５の表示を終了する。
【００４９】
この構成によれば、選択中の音源で再生可能な楽曲の楽曲データをスクロールする際に、スクロール操作を行う操作端子を目視で確認しながら操作する必要がなく、手探り操作でも簡単にスクロール操作を行うことができる。また、例えば数万件等の多数の楽曲データをスクロールさせる場合に、例えば押下式のスクロール操作端子を用いて楽曲を上から下までスクロールさせるのは操作が面倒であり、時間もかかったが、本実施形態の構成によれば、スクロール率α２と、スクロール調整量β２と、をそれぞれ任意の値に設定することができるため、多くの楽曲データを簡単な操作で一度にスクロールさせることができ、操作性が向上する。
【００５０】
以上説明したように、本実施形態によれば、指をタッチパネル１１でスライドさせるタッチスライド操作で操作対象を操作する操作装置１であって、タッチパネル１１の第１方向Ｄ１へのタッチスライド操作と、第１方向Ｄ１とは異なる第２方向Ｄ２へのタッチスライド操作との組み合わせで操作対象を操作する操作量を調整するため、タッチスライド操作時の指をタッチパネル１１の一方の方向へ、端から端まで動かしても、操作量がいきなり最大、或いは、最少になってしまうことがなく、手探り操作で操作対象の操作を行う場合でも、意図した操作量に設定することができるため、操作装置１の操作性が向上する。
【００５１】
また、本実施形態によれば、第１方向Ｄ１への前記タッチスライド操作時の指の移動量と、第２方向Ｄ２へのタッチスライド操作時の指の移動量との組み合わせに基づいて、操作対象を操作する操作量を調整するため、タッチスライド操作時の指をタッチパネル１１の一方の方向へ、端から端まで動かしても、操作量がいきなり最大、或いは、最少になってしまうことがなく、手探り操作で操作対象の操作を行った場合でも、意図した操作量に設定することができるため、操作装置１の操作性が向上する。
【００５２】
また、本実施形態によれば、第１方向Ｄ１、或いは、第２方向Ｄ２へのタッチスライド操作のうち、一方向への操作で、他方向への操作によって設定される操作量の変化量を変化させるため、タッチスライド操作時の指をタッチパネル１１の一方の方向へ、端から端まで動かしても、操作量がいきなり最大、或いは、最少になってしまうことがなく、また、ユーザーは、画面を注視することなく、手探り操作で操作量の設定を行った場合でも所望する操作量に容易に設定することができ、操作装置１の操作性が向上する。
【００５３】
また、本実施形態によれば、第１方向Ｄ１と、第２方向Ｄ２とは、互いに略直交する方向であるため、ユーザーは、画面を注視しなくても、操作を行っている方向に基づいて、自分が今どの操作を行っているのか認識することができ、手探り操作で所望する操作量に設定することができ、操作装置１の操作性が向上する。
【００５４】
また、本実施形態によれば、第１方向Ｄ１、第２方向Ｄ２は、タッチパネルの縦方向、或いは、横方向のどちらか一方であるため、画面の大きさに対する指の移動量から、感覚的に操作量を認識することができ、また、操作量の設定を行うために操作できるタッチパネルの範囲が広いため、画面を注視することなく、手探り操作で所望する操作量に設定することができ、操作装置１の操作性が向上する。
【００５５】
また、本実施形態によれば、タッチパネル１１を複数の領域に区分けし、設定値を表示する表示領域と、操作量を設定する操作領域とを別領域としたため、操作量の設定を行うために操作できるタッチパネルの範囲が広く、画面を注視することなく、手探り操作で所望する操作量に設定することができる。また、操作量を設定する操作領域への操作時の指で、表示領域に表示されている設定値が隠れてしまうことがないため、画面を目視しながら操作量を設定する場合には、表示領域に表示された設定値を目視し確認しながら操作量の設定を行うことができ、操作装置１の操作性が向上する。
【００５６】
また、本実施形態によれば、開始操作領域Ｔ２、及び、開始操作領域Ｔ４は、タッチパネル１１の隅に設けられているため、ユーザーは、画面を注視することなく、手探りで、開始操作領域Ｔ２、或いは、開始操作領域Ｔ４の位置を確認してタッチ操作を行い、操作量の設定を開始することができるため、車両１００の運転中であっても手探り操作で操作量の設定を行うことが可能となる。また、開始操作領域Ｔ２、或いは、開始操作領域Ｔ４は、それぞれ画面の左隅、或いは、右隅に設けられているため、運転席、或いは、助手席のどちらに搭乗しているユーザーからでも容易に操作をすることができる。
【００５７】
以上、実施形態に基づいて本発明を説明したが、本発明はこれに限定されるものではない。本実施形態では、操作装置１が車両１００に搭載される車載機器である例について説明したが、これに限らず、操作装置１は、携帯電話、スマートフォン、携帯型音響機器、又は、パーソナルコンピューター等である構成としても良い。また、画面の回転を検出し、画面の向きに合わせて表示パネルの画面、或いは、タッチパネルの入力を切り替えることができるスマートフォン等の操作装置では、設定操作領域Ｔ１の第１方向Ｄ１、第２方向Ｄ２を画面の向きに合わせて切り替える構成であっても良い。
【符号の説明】
【００５８】
１  操作装置
Ｔ１  設定操作領域
Ｔ２、Ｔ４  開始操作領域
１１  タッチパネル
２３  音量表示エリア
２４  音量バー
３０  制御部
３２  操作検出部
３３  音量調整部
４０  音声出力部
Ｄ１  第１方向
Ｄ２  第２方向
【図１】
2013008278.tif 000003
【図２】
2013008278.tif 000004
【図３】
2013008278.tif 000005
【図４】
2013008278.tif 000006
【図５】
2013008278.tif 000007
【図６】
2013008278.tif 000008